(57)【要約】      （修正有）【課題】脚体を確実に固定することが可能な機構を備えた折り畳み式縁台を提供する。【解決手段】矩形の平板状の座板と、座板の裏面の四隅に配置される脚体２０ａと、座板における裏面の長手方向両端部に、矩形の短辺に沿って固定されるＬアングル１６と、Ｌアングル１６における座板に当接する水平板１６ａに固定され、脚体２０ａの基端部を回動自在に支持する蝶番と、を備える折り畳み式縁台１であって、Ｌアングル１６は、水平板１６ａに対して垂直に延びる垂直板１６ｂにおける長手方向の両端部に孔部１６ｃを有し、脚体２０ａは、座板に対して略直角に立てられた状態において、孔部１６ｃに対向する部位に孔部２０ｃを有し、脚体２０ａが座板に対して略直角に立てられた状態において、互いに一致した孔部１６ｃ及び孔部２０ｃにハンドル付きねじ１４を螺合する。【選択図】図３
0003196538.tif 000002
【実用新案登録請求の範囲】
【請求項１】
矩形の平板状の座板と、
当該座板の裏面の四隅に配置される脚体と、
当該座板における裏面側でかつ一対の短辺に沿って固定され、前記座板に当接する水平板と当該水平板の長辺から垂直に延びる垂直板とを有する断面がＬ字形の固定金具と、
当該固定金具における前記座板に当接する面の反対面側に固定され、前記脚体の基端部を回動自在に支持する蝶番と、を備え、
前記垂直板は、長手方向の両端部に第１孔部を有し、
前記脚体は、前記座板に対して略垂直に延びるように立てられた状態において、前記第１孔部に対向する部位に第２孔部を有し、
前記脚体が前記座板に対して略垂直方向に立てられた状態において、互いに一致した前記第１孔部及び前記第２孔部に螺合する第１ねじ部材を更に備えることを特徴とする折り畳み式縁台。
【請求項２】
前記固定金具は、長手方向の両端部に形成され、前記水平板及び前記垂直板に対して垂直な側壁板を有し、
当該側壁板は、第３孔部を有し、
前記脚体は、前記座板に対して略垂直に延びるように立てられた状態において、前記第３孔部に対向する部位に第４孔部を有し、
前記脚体が前記座板に対して略垂直方向に立てられた状態において、互いに一致した前記第３孔部及び前記第４孔部に螺合する第２ねじ部材を更に備えることを特徴とする請求項１記載の折り畳み式縁台。
【考案の詳細な説明】
【技術分野】
【０００１】
本考案は、脚部が折り畳み可能な折り畳み式縁台に関する。
【背景技術】
【０００２】
従来、この種の技術としては、特許文献１に記載された折り畳み式縁台がある。この折り畳み式縁台は、座板と、この座板に基端部が回動自在に固定された脚部と、第１アームと第２アームとを互いに回動自在に連結してなるアーム体とを備え、脚部を立てた状態又は折り畳んだ状態にすることが可能である。ここで、アーム体の一端部は座板側に連結され、他端部は脚部に連結されており、脚部を折り畳む際に第１アーム及び第２アームの連結部分を内側に移動させて、連結部分を屈曲させる。脚部を立てる際には第１アーム及び第２アームを広げる。この時、第１アームと第２アームとの連結部分が、第１アーム及び第２アームが真っ直ぐな状態の場合よりも外側に位置付けられる。このような構成を有することにより、荷重超過の場合における突然の脚部の折畳まりを防止できると共に、折畳み及び展開作業を簡単にすることを可能にしている。
【先行技術文献】
【特許文献】
【０００３】
【特許文献１】実登３０８５８８２号公報
【考案の概要】
【考案が解決しようとする課題】
【０００４】
しかしながら、特許文献１に記載された折り畳み式縁台においては、第１アームと第２アームとの連結部分にストレスがかかり、長期間の使用により第１アームと第２アームとの連結部分が変形して破損するおそれがある。この連結部分が破損すると、脚部を立てた状態で維持することが困難になり、縁台として使用することが不可能になる。
【０００５】
本考案は、このような問題点を解決し、脚体が回動しないように確実に固定することが可能な機構を備えた折り畳み式縁台を提供することを目的とする。
【課題を解決するための手段】
【０００６】
前記目的を達成するため、本考案は、次に記載する構成を備えている。
【０００７】
（１）  矩形の平板状の座板と、当該座板の裏面の四隅に配置される脚体と、当該座板における裏面側でかつ一対の短辺に沿って固定され、前記座板に当接する水平板と当該水平板の長辺から垂直に延びる垂直板とを有する断面がＬ字形の固定金具と、当該固定金具における前記座板に当接する面の反対面側に固定され、前記脚体の基端部を回動自在に支持する蝶番と、を備え、前記垂直板は、長手方向の両端部に第１孔部を有し、前記脚体は、前記座板に対して略垂直に延びるように立てられた状態において、前記第１孔部に対向する部位に第２孔部を有し、前記脚体が前記座板に対して略垂直方向に立てられた状態において、互いに一致した前記第１孔部及び前記第２孔部に螺合する第１ねじ部材を更に備えることを特徴とする折り畳み式縁台。
【０００８】
（１）によれば、折り畳み式縁台において脚体が座板の裏面に対して垂直方向に延びるように立てられた状態において、第１ねじ部材を第１孔部及び第２孔部に螺合させることによって、脚体が固定金具を介して座板に固定される。これにより、座板に対して脚体が回動することが確実に防止され、使用中において脚体が回動して、座板が傾いてしまうことが低減される。
【０００９】
（２）  （１）において、前記固定金具は、長手方向の両端部に形成され、前記水平板及び前記垂直板に対して垂直な側壁板を有し、当該側壁板は、第３孔部を有し、前記脚体は、前記座板に対して略垂直に延びるように立てられた状態において、前記第３孔部に対向する部位に第４孔部を有し、前記脚体が前記座板に対して略垂直方向に立てられた状態において、互いに一致した前記第３孔部及び前記第４孔部に螺合する第２ねじ部材を更に備えることを特徴とする折り畳み式縁台。
【００１０】
（２）によれば、折り畳み式縁台において脚体が座板の裏面に対して垂直方向に延びるように立てられた状態において、第２ねじ部材を第３孔部及び第４孔部に螺合させることによって、脚体が固定金具を介して座板に固定される。これにより、座板に対して脚体が回動することがより確実に防止され、使用中において脚体が回動して、座板が傾いてしまうことが低減される。
【考案の効果】
【００１１】
本考案によれば、脚体が回動しないように確実に固定することが可能な機構を備えた折り畳み式縁台を提供することが可能になる。
【図面の簡単な説明】
【００１２】
【図１】本考案の第１実施形態における折り畳み式縁台１の外観を示す斜視図である。
【図２】図１の折り畳み式縁台１を下方から視認した平面図である。
【図３】本考案の第１実施形態における折り畳み式縁台１の外観を示す斜視図である。
【図４】本考案の第１実施形態における折り畳み式縁台１の構成部品を示す分解斜視図である。
【図５】本考案の第２実施形態における折り畳み式縁台２の外観を示す斜視図である。
【図６】本考案の第２実施形態における折り畳み式縁台２の外観を示す斜視図である。
【図７】本考案の第２実施形態における折り畳み式縁台２の構成部品を示す分解斜視図である。
【考案を実施するための形態】
【００１３】
以下、本考案の実施形態について、図面を参照しながら詳細に説明する。
［第１実施形態］
図１は、本考案の第１実施形態における折り畳み式縁台１の外観を示す斜視図であり、図２は、図１の折り畳み式縁台１を下方から視認した平面図である。図３は、図１は脚部を折り畳んだ状態を示す斜視図である。図４は、本考案の第１実施形態における折り畳み式縁台１の構成部品を示す分解斜視図である。
【００１４】
折り畳み式縁台１は、図４に示すように、座板１０と、座板キャップ１２と、第１及び第２ねじ部材に相当するハンドル付きねじ１４と、固定金具に相当するＬアングル１６と、蝶番１８と、脚部２０と、脚キャップ２２と、補強板２４と、補強アーム２６と、ストッパ２８と、を備えている。
【００１５】
図１に示すように、座板１０は、断面形状が略長方形の長尺の角筒部材１０ａを４本並列させ、隣合う角筒部材１０ａ同士を固定してなる矩形形状の板状部材である。
【００１６】
座板キャップ１２は、角筒部材１０ａの両端部に嵌合され、角筒部材１０ａの両端部の開口を閉鎖するものである。
【００１７】
ハンドル付きねじ１４は、樹脂製の略円柱状のハンドル部の中心にねじを立設させたものであり、ハンドル部の中心軸に沿ってねじが延在している。
【００１８】
図４に示すように、Ｌアングル１６は、座板１０の裏面における長手方向の両端部、すなわち図３に示すように、短辺部分に沿って固定される断面Ｌ字形の金具であり、座板１０に固定される水平板１６ａと、水平板１６ａの長辺から垂直方向に延びる垂直板１６ｂとからなる。Ｌアングル１６の長さは、座板１０における長手方向に対向する辺の長さと同じであり、垂直板１６ｂは、座板１０の両端に配置され、座板１０の反対側に延びる。
【００１９】
蝶番１８は、座板１０に対して脚部２０を回動自在に固定する金具である。蝶番１８は、互いに開閉自在に連結された２枚の金属板を有し、一方の金属板が、Ｌアングル１６の水平板１６ａに固定され、他方の金属板が、脚部２０の基端部に固定される。垂直板１６ｂは、水平板１６ａの長手方向の両端部に固定される。すなわち、蝶番１８は、図２に示すように、座板１０の裏面の四隅にそれぞれ蝶番１８が固定される。垂直板１６ｂの両端部には、図４に示すように、貫通孔からなる孔部１６ｃ、１６ｃが形成されている。
【００２０】
脚部２０は、並列配置された２本の金属製の角筒からなる脚体２０ａ、２０ａと、２本の脚体２０ａ、２０ａを両端部に接続する補強筒２０ｂとからなるＨ字型の部材である。脚部２０は、座板１０の裏面における長手方向の両端部にそれぞれ配置され、計４本の脚体２０ａ、２０ａの基端部が、それぞれ座板１０の裏面の四隅に配置される。脚部２０における２本の脚体２０ａ、２０ａの間隔は、Ｌアングル１６の両端部に固定された蝶番１８、１８の間隔に等しくなるように設定されており、４本の脚体２０ａ、２０ａの基端部が蝶番１８、１８に固定される。この際、蝶番１８の回転軸は、脚体２０ａにおけるＬアングル１６の垂直板１６ｂに対向する側の反対側に位置付けられる。このため、脚部２０は、座板１０の裏面の中央側に向かって回動する。また、脚体２０ａにおけるＬアングル１６の垂直板１６ｂに対向する部位には、図４に示すように、貫通孔からなる孔部２０ｃ、２０ｃが形成されている。
【００２１】
脚体２０ａの長さは、座板１０の長手方向の長さの半分よりも短く設定されている。このため、座板１０の長手方向の両端部の脚部２０、２０が座板１０の裏面の中央側に向かって回動した場合に、図３に示すように、脚体２０ａ、２０ａの先端同士が互いに対向する。
【００２２】
なお、以下の説明の便宜上、脚部２０が座板１０の裏面の中央側に向かって回動して、脚体２０ａ、２０ａの先端同士が互いに対向している状態を、脚部２０を折り畳んだ状態と称する。脚部２０が座板１０の両端側に回動して、座板１０の裏面に対して垂直方向に延びている状態を、脚部２０を立てた状態と称する。脚部２０を立てた状態において、Ｌアングル１６の孔部１６ｃ、１６ｃと脚部２０の孔部２０ｃ、２０ｃとが互いに一致することにより、ハンドル付きねじ１４が螺合可能なねじ孔が形成される。
【００２３】
脚キャップ２２は、脚体２０ａの先端部に嵌合され、脚体２０ａの開口を閉鎖するものである。脚キャップ２２は例えばゴムによって構成されており、脚部２０を立てて折り畳み式縁台１を床に載置した際に、脚部２０の先端部によって床面が傷つくことを防止するためのものである。
【００２４】
補強板２４は、座板１０の裏面の中央部に固定され、４本の角筒部材１０ａにそれぞれ接続される矩形の金属板からなる。
【００２５】
補強アーム２６は、細長い金属板からなる第１アーム２６ａ及び第２アーム２６ｂを備えている。第１アーム２６ａの一端部と第２アーム２６ｂの一端部とは、互いに回動自在に軸支されている。ここで、補強アーム２６は、第１アーム２６ａと第２アーム２６ｂとの角度が１８０°よりも若干大きい角度になった場合に、それ以上の回動が規制され、第１アーム２６ａと第２アーム２６ｂとが開かないように構成されている。補強アーム２６は、４本の脚体２０ａに対応して４つ設けられている。
【００２６】
第１アーム２６ａの他端部は、座板１０に回動自在に固定される。第２アーム２６ｂの他端部は、脚部２０に固定される。このため、脚部２０が、座板１０の裏面の中央側に向かって回動した場合に、補強アーム２６は第１アーム２６ａと第２アーム２６ｂとの連結部分において屈曲する。この時、第１アーム２６ａと第２アーム２６ｂとの角度が小さくなりながら、座板１０の裏面の中央側に向かって回動する。逆に、脚部２０が、座板１０の裏面の両端側に向かって回動した場合に、脚部２０が、座板１０に対して直角になった時点で、補強アーム２６が真っ直ぐな状態となり、それ以上の脚部２０の回動が規制される。
【００２７】
ストッパ２８は、補強アーム２６の先端部を挟むように支持するものである。ストッパ２８は、図２に示すように、座板１０の裏面の長辺部分における、脚部２０と補強アーム２６との連結部位と座板１０の裏面の中央との間に固定されている。そして、脚部２０が、座板１０の裏面の中央側に向かって回動した場合に、補強アーム２６も座板１０の裏面の中央側に向かって回動し、補強アーム２６の先端部がストッパ２８に係合する。
【００２８】
次に、第１実施形態の折り畳み式縁台１の組立手順について説明する。出荷時においては、ハンドル付きねじ１４（図１参照）が外された状態にある。
【００２９】
折り畳み式縁台１を組み立てる際には、使用者が、脚部２０を回動させて立てた状態にする。そして、使用者は、補強アーム２６を真っ直ぐな状態とした後、ハンドル付きねじ１４を孔部１６ｃ及び孔部２０ｃにそれぞれ螺合させることにより、脚部２０がＬアングル１６を介して座板１０に固定され、折り畳み式縁台１の組立が完了する。そして、脚部２０の先端部を床面に向けて下ろすことにより、折り畳み式縁台１が床面に載置される。
【００３０】
また、再度、折り畳み式縁台１を折り畳む際には、使用者がハンドル付きねじ１４を取り外してから、脚部２０を折り畳む。なお、取り外したハンドル付きねじ１４は、孔部１６ｃにそれぞれ螺合させてもよく、使用者が、別途保管してもよい。
【００３１】
このように構成された第１実施形態によれば、ハンドル付きねじ１４を取り付けることによって、折り畳み式縁台１において脚部２０が回動することが確実に防止され、使用中において脚部２０が開いて、座板１０が傾いてしまうことが防止できる。
【００３２】
なお、第１実施形態の折り畳み式縁台１によれば、仮に、ハンドル付きねじ１４を取り付けなくても、補強アーム２６によって脚部２０が立った状態で維持されるため、使用可能である。しかし、例えば、補強アーム２６が破損しそうな場合において、ハンドル付きねじ１４を取り付けることによって、折り畳み式縁台１を安全に使用することが可能になる。
【００３３】
［第２実施形態］
図５及び図６は、本考案の第１実施形態における折り畳み式縁台２の外観を示す斜視図であり、図５は脚部を立てた状態を示し、図６は脚部を折り畳んだ状態を示している。図７は、本考案の第２実施形態における折り畳み式縁台２の構成部品を示す分解斜視図である。なお、図１〜図４に示す第１実施形態の折り畳み式縁台１の部材と同一の部材又は同一機能の部材については同一の符号を付して、詳細な説明は省略する。
【００３４】
図５〜図７に示す第２実施形態における折り畳み式縁台２は、第１実施形態の折り畳み式縁台１のＬアングル１６の代わりに、Ｌアングル１７を用いている。Ｌアングル１７は、水平板１６ａと、垂直板１６ｂと、側壁板１７ａ、１７ａと、によって構成されている。側壁板１７ａ、１７ａは、水平板１６ａ及び垂直板１６ｂの長手方向の両端部に設けられ、水平板１６ａ及び垂直板１６ｂに対して垂直な矩形の金属板からなる。
【００３５】
また、側壁板１７ａには、貫通孔からなる孔部１７ｂが形成されている。また、脚体２０ａにおけるＬアングル１７の側壁板１７ａに対向する部位には、貫通孔からなる孔部２０ｄ、２０ｄが形成されている。
【００３６】
そして、脚部２０を立てた状態において、Ｌアングル１７の孔部１６ｃ、１６ｃと、脚部２０の孔部２０ｃ、２０ｃとが互いに一致することにより、ハンドル付きねじ１４が螺合可能なねじ孔が形成される。同様に、Ｌアングル１７の孔部１７ｂ、１７ｂと、脚部２０の孔部２０ｄ、２０ｄとが互いに一致することにより、ハンドル付きねじ１４が螺合可能なねじ孔が形成される。
【００３７】
折り畳み式縁台２を組み立てる際には、使用者がハンドル付きねじ１４を取り外し、脚部２０を立てた状態にする。そして、使用者は、補強アーム２６を真っ直ぐな状態とした後、ハンドル付きねじ１４を孔部１６ｃ及び孔部２０ｃにそれぞれ螺合し、更に、ハンドル付きねじ１４を孔部１７ｂ及び孔部２０ｄにそれぞれ螺合する。これにより、脚部２０がＬアングル１６を介して座板１０に固定され、折り畳み式縁台２の組立が完了する。そして、脚部２０の先端部を床面に向けて下ろすことにより、折り畳み式縁台２が床面に載置される。
【００３８】
また、再度、折り畳み式縁台２を折り畳む際には、使用者が計８つのハンドル付きねじ１４を取り外してから、脚部２０を折り畳む。そして、使用者は、４つのハンドル付きねじ１４については孔部１６ｃ及び孔部２０ｃにそれぞれ螺合させ、残りの４つのハンドル付きねじ１４については孔部１７ｂに一時的に螺合しておくか、あるいは８つのハンドル付きねじ１４を別途保管する。
【００３９】
このように構成された第２実施形態によれば、ハンドル付きねじ１４を一本の脚に対して２つ別方向から取り付けることによって、折り畳み式縁台２において脚部２０が回動することがより確実に防止され、使用中において脚部２０が開いて、座板１０が傾いてしまうことが防止できる。
【００４０】
なお、上述した第２実施形態においては、８つのハンドル付きねじ１４を取り付けているが、１本の脚体２０ａの先端部に対して、孔部１６ｃ及び孔部２０ｃによるねじ孔又は孔部１７ｂ及び孔部２０ｄによるねじ孔のいずれか一方にハンドル付きねじ１４を螺合してもよい。すなわち、４つのハンドル付きねじ１４によって、脚部２０をＬアングル１７を介して座板１０に固定してもよい。
【００４１】
以上、本考案の実施形態について説明したが、本考案の実施形態は上述した実施形態に限るものではない。例えば、Ｌアングル１６、１７に対して、孔部１６ｃ、１７ｂとねじ孔が一致するようにナットを固定してもよい。これにより、折り畳み式縁台１、２を折り畳んだ状態とした時に、ハンドル付きねじ１４をナットに一時的に固定しておくことが可能になる。
【００４２】
また、第２実施形態において、脚部２０を折り畳んだ状態における孔部２０ｄが対向する側壁板１７ａの部位に孔部を形成し、この孔部と孔部２０ｄにハンドル付きねじ１４を螺合可能にしてもよい。これにより、脚部２０を折り畳んだ状態においても、８つのハンドル付きねじ１４を全て折り畳み式縁台２本体に取り付けておくことが可能になり、ハンドル付きねじ１４をなくすことが防止できる。更に、脚部２０を折り畳んだ状態において、脚部２０の回動を規制することができるため、例えば、脚部２０が折り畳まれた状態の折り畳み式縁台２を移動あるいは運搬している際に、脚部２０が開いてしまうことを確実に防止することが可能になる。
【符号の説明】
【００４３】
１、２  折り畳み式縁台
１０  座板
１０ａ  角筒部材
１２  座板キャップ
１４  ハンドル付きねじ
１６  Ｌアングル
１６ａ  水平板
１６ｂ  垂直板
１６ｃ  孔部
１７  Ｌアングル
１７ａ  側壁板
１７ｂ、１７ｃ  孔部
１８  蝶番
２０  脚部
２０ａ  脚体
２０ｂ  補強筒
２０ｃ、２０ｄ  孔部
２２  脚キャップ
２４  補強板
２６  補強アーム
２６ａ  第１アーム
２６ｂ  第２アーム
２８  ストッパ
【図１】
0003196538.tif 000003
【図２】
0003196538.tif 000004
【図３】
0003196538.tif 000005
【図４】
0003196538.tif 000006
【図５】
0003196538.tif 000007
【図６】
0003196538.tif 000008
【図７】
0003196538.tif 000009